(57)【特許請求の範囲】
【請求項１】
物体（１４０）の厚さを測定するための機器であって、
押し付け制御システム（２００）であって、
可動プラットフォーム（２１０）、
押し付けセンサ（２２０）、
前記押し付けセンサ（２２０）に動作可能に接続されたスイッチング装置（２３０）
を備える押し付け制御システム（２００）と、
前記スイッチング装置（２３０）におけるトグルイベントを示す信号（３１０）を受信するために前記スイッチング装置（２３０）に動作可能に接続され、かつ勾配を測定するように構成された測定システム（２９０）と、
前記勾配を用いることによって、前記スイッチング装置（２３０）における前記トグルイベントを示す前記信号（３１０）を受信したときに前記物体（１４０）の厚さを測定するために前記スイッチング装置（２３０）および前記測定システム（２９０）に動作可能に接続された処理回路（３００）と、
無線媒体（３４０）を介して前記物体（１４０）の測定された厚さを遠隔データベース（３３０）に伝送するための通信回路（３２０）と
を備える機器。
【請求項２】
前記押し付けセンサ（２２０）が、前記可動プラットフォーム（２１０）に動作可能に結合されている、請求項１に記載の機器。
【請求項３】
前記押し付けセンサ（２２０）が、ばねシステム（２２０）、圧力センサ、または力センサを備える、請求項１に記載の機器。
【請求項４】
前記ばねシステム（２２０）が、前記可動プラットフォーム（２１０）に機械的に結合されている、請求項３に記載の機器。
【請求項５】
前記可動プラットフォーム（２１０）が、前記トグルイベントを実行するトグルキー（２５０）を備える、請求項１に記載の機器。
【請求項６】
前記スイッチング装置（２３０）が、所定の間隔（２６０）を置いてトグルキー（２５０）の下に配置されている、請求項１に記載の機器。
【請求項７】
前記押し付けセンサ（２２０）が、プランジャアセンブリ（１６０）に動作可能に結合されている、請求項１に記載の機器。
【請求項８】
厚さゲージ（１００）であって、
押し付け制御システム（２００）であって、
前記厚さゲージ（１００）のキャビティー（１１０）の下面（１３０）内に配置された可動プラットフォーム（２１０）であって、トグルキー（２５０）を備える可動プラットフォーム（２１０）、
前記可動プラットフォーム（２１０）に機械的に結合されたばねシステム（２２０）、
所定の間隔（２６０）を置いて前記トグルキー（２５０）の下に配置されたスイッチング装置（２３０）
を備える押し付け制御システム（２００）と、
前記スイッチング装置（２３０）におけるトグルイベントを示す信号（３１０）を受信するために前記スイッチング装置（２３０）に動作可能に接続され、かつ勾配を測定するように構成された測定システム（２９０）と、
前記勾配を用いることによって、前記スイッチング装置（２３０）における前記トグル
イベントを示す前記信号（３１０）を受信したときに前記物体（１４０）の厚さを測定するために前記スイッチング装置（２３０）および前記測定システム（２９０）に動作可能に接続された処理回路（３００）と、
無線媒体（３４０）を介して前記物体（１４０）の測定された厚さを遠隔データベース（３３０）に伝送するための通信回路（３２０）と
を備える厚さゲージ（１００）。
【請求項９】
前記可動プラットフォーム（２１０）が、中空の円柱形状部を備える、請求項８に記載の厚さゲージ（１００）。
【請求項１０】
前記ばねシステム（２２０）が、前記可動プラットフォーム（２１０）内に配置されている、請求項９に記載の厚さゲージ（１００）。
【請求項１１】
前記可動プラットフォーム（２１０）が、中実の円柱形状部を備える、請求項８に記載の厚さゲージ（１００）。
【請求項１２】
前記ばねシステム（２２０）が、前記可動プラットフォーム（２１０）の下に配置されている、請求項１１に記載の厚さゲージ（１００）。
【請求項１３】
ゲージハウジング（１５０）内の、前記キャビティー（１１０）の上面（１２０）の上方に配置されたプランジャアセンブリ（１６０）をさらに備える、請求項８に記載の厚さゲージ（１００）。
【請求項１４】
前記無線媒体（３４０）が、Ｂｌｕｅｔｏｏｔｈネットワーク、Ｗｉ−Ｆｉネットワーク、またはＷｉＭＡＸネットワークを含む、請求項８に記載の厚さゲージ（１００）。
【請求項１５】
前記厚さゲージ（１００）に動作可能に接続された表示ユニット（３５０）をさらに備え、前記通信回路（３２０）が、前記遠隔データベース（３３０）に加えて前記物体（１４０）の厚さの測定値を前記表示ユニット（３５０）に伝送する、請求項８に記載の厚さゲージ（１００）。
【請求項１６】
物体（１４０）の厚さを測定するための方法であって、
厚さ測定機器の可動プラットフォーム（２１０）上に物体（１４０）を配置するステップと、
前記可動プラットフォーム（２１０）上に配置された前記物体（１４０）にプランジャ（１７０）を押し付けるステップと、
押し付けセンサ（２２０）によって所定の押し付けを検知したときにトグルキー（２５０）を用いてスイッチング装置（２３０）を切り替えるステップと、
前記スイッチング装置（２３０）を切り替えたときに測定装置（２９０）を用いて前記プランジャ（１７０）の移動の距離（２９５）を測定するステップと、
前記スイッチング装置（２３０）を切り替えたときに測定された前記距離（２９５）を用いることによって前記物体（１４０）の厚さの測定値を得るステップと、
無線媒体（３４０）を介して前記厚さの測定値を遠隔データベース（３３０）に自動的に伝送するステップと
を含む方法。
【請求項１７】
前記無線媒体（３４０）を介して前記厚さの測定値を前記遠隔データベース（３３０）
に自動的に伝送する前記ステップが、Ｂｌｕｅｔｏｏｔｈネットワーク、Ｗｉ−Ｆｉネットワーク、またはＷｉＭＡＸネットワークを介して前記厚さの測定値を前記遠隔データベース（３３０）に自動的に伝送することを含む、請求項１６に記載の方法。
【発明の詳細な説明】
【技術分野】
【０００１】
本開示は、一般に、測定機器に関し、より具体的には、物体の厚さを測定するための方法および機器に関する。
【背景技術】
【０００２】
測定機器は、物体の様々な寸法を測定するために使用される。１つのそのような測定機器は、物体の厚さを測定するための機器を含む。様々な種類の機器が、様々な種類の物体の厚さを測定するために利用可能である。それらの一部として、厚さゲージおよびノギスを挙げることができる。様々な厚さ測定機器が、物体の厚さを測定するための様々な機構を採用している。１つのそのような機構は、厚さ測定機器の２つの表面間に物体を配置することおよび第１の表面と第２の表面との間に配置された物体の厚さを測定するために厚さ測定機器の第２の表面に対して第１の表面を押圧することを含む。このような機器において、表面の一方は固定され、他方の表面は、他方の表面が物体に接触するまで外力を用いて移動される。
【０００３】
外力（例えば、人力を含み得る）は、測定を実行する使用者に応じて変化し得る。測定工程への人の介入に起因して、物体の厚さの測定値が変化する場合があり、このことが、一貫性のない測定および望ましくない誤差につながっている。さらに、従来の厚さ測定システムでは、使用者には、各物体の厚さの測定値を手でメモすることが求められる。多数の物体の厚さ測定を所定の時間内に実行する必要がある状況において、各物体に関して厚さの測定値を手でメモすることは、人的過誤および時間の無駄につながる。
【０００４】
したがって、前述の問題に対処する改善された厚さ測定システムが必要とされている。
【先行技術文献】
【特許文献】
【０００５】
【特許文献１】米国特許出願公開第２０１４／０１０９４１８号明細書
【発明の概要】
【０００６】
簡単に言えば、一実施形態によって、物体の厚さを測定するための機器が提供される。本機器は、押し付け制御システムを含み、押し付け制御システムは、可動プラットフォームと、押し付けセンサと、押し付けセンサに動作可能に接続されるスイッチング装置とをさらに含む。また、本機器は、スイッチング装置におけるトグルイベントを示す信号を受信するためにスイッチング装置に動作可能に接続され、かつ勾配を測定するように構成される測定システムを含む。また、本機器は、勾配を用いることによって、スイッチング装置におけるトグルイベントを示す信号を受信したときに物体の厚さを測定するためにスイッチング装置および測定システムに動作可能に接続される処理回路ならびに物体の測定された厚さを遠隔データベースに伝送するための通信回路を含む。
【０００７】
別の実施形態において、厚さゲージが提供される。厚さゲージは、押し付け制御システムを含み、押し付け制御システムは、厚さゲージのキャビティーの下面内に配置される可動プラットフォームであって、トグルキーを備える可動プラットフォームと、可動プラットフォームに機械的に結合されるばねシステムと、所定の間隔を置いてトグルキーの下に配置されるスイッチング装置とをさらに含む。また、厚さゲージは、スイッチング装置におけるトグルイベントを示す信号を受信するためにスイッチング装置に動作可能に接続され、かつ勾配を測定するように構成される測定システムを含む。また、厚さゲージは、勾配を用いることによって、スイッチング装置におけるトグルイベントを示す信号を受信したときに物体の厚さを測定するためにスイッチング装置および測定システムに動作可能に接続される処理回路ならびに無線媒体を介して物体の測定された厚さを遠隔データベースに伝送するための通信回路を含む。
【０００８】
さらに別の実施形態において、物体の厚さを測定するための方法が提供される。本方法は、厚さ測定機器の可動プラットフォーム上に物体を配置するステップと、可動プラットフォーム上に配置された物体にプランジャを押し付けるステップと、押し付けセンサによって所定の押し付けを検知したときにトグルキーを用いてスイッチング装置を切り替えるステップと、スイッチング装置を切り替えたときに測定装置を用いてプランジャの移動の距離を測定するステップと、スイッチング装置を切り替えたときに測定された距離を用いることによって物体の厚さの測定値を得るステップと、無線媒体を介して厚さの測定値を遠隔データベースに自動的に伝送するステップとを含む。
【０００９】
本発明のこれらのおよび他の特徴、態様、および利点は、以下の詳細な説明が添付図面を参照しながら読まれるときにより良く理解されるようになる。なお、添付図面では、同じ符号が、図面を通して同じ部分を示している。
【図面の簡単な説明】
【００１０】
【図１】一実施形態に係る厚さゲージの断面図である。
【図２】一実施形態に従って物体の厚さを測定するための方法に関わるステップを示すフローチャートである。
【発明を実施するための形態】
【００１１】
本開示の実施形態は、物体の厚さを測定するための機器および方法を含む。本機器は、押し付け制御システムを含み、押し付け制御システムは、可動プラットフォームと、押し付けセンサと、押し付けセンサに動作可能に接続されるスイッチング装置とをさらに含む。押し付け制御システムは、可動プラットフォームの所定の押し付け時にスイッチング装置を切り替えるために使用される。また、本機器は、スイッチング装置におけるトグルイベント時に物体の厚さを測定するためにスイッチング装置に動作可能に接続される処理回路をさらに含む測定システムおよび物体の測定された厚さを遠隔データベースに伝送するための通信回路を含む。
【００１２】
図１は、一実施形態に係る厚さゲージ１００の断面の概略図である。厚さゲージ１００は、上面１２０および下面１３０を有するキャビティー１１０を含む。キャビティー１１０は、物体１４０であって、その厚さが測定されるべき物体１４０を配置するために使用される。また、厚さゲージ１００は、キャビティー１１０の周りに固定されたゲージハウジング１５０を含み、ゲージハウジング１５０は、厚さゲージ１００の様々な構成要素を保持するために使用されている。また、厚さゲージ１００は、ゲージハウジング１５０内にプランジャアセンブリ１６０を含む。プランジャアセンブリ１６０は、プランジャ１７０を含み、プランジャ１７０は、外力の印加時に矢印１９０によって示されている方向に移動する。また、上面１２０は、プランジャアセンブリ１６０の一部を形成しており、また、プランジャキャビティー１８０を含む。プランジャキャビティー１８０は、プランジャ１７０が方向１９０に移動することを可能にしている。図示の実施形態において、方向１９０は垂直である。
【００１３】
また、厚さゲージ１００は、押し付け制御システム２００を含み、押し付け制御システム２００は、可動プラットフォーム２１０と、押し付けセンサ２２０と、スイッチング装置２３０とを含む。可動プラットフォーム２１０は、キャビティー１１０の下面１３０に配置されており、外力の印加時に矢印２４０によって示されている方向（この図示の実施形態では垂直である）に移動するように構成されている。可動プラットフォーム２１０は、トグルキー２５０を含んでもよい。トグルキー２５０は、可動プラットフォーム２１０からスイッチング装置２３０に向かって下方に延在する突起として形作られ、所定の間隔２６０がトグルキー２５０とスイッチング装置２３０との間に保持されるようにスイッチング装置２３０の上方に配置されてもよい。一実施形態において、可動プラットフォーム２１０は、アンビルを含んでもよい。
【００１４】
一実施形態において、押し付けセンサ２２０は、可動プラットフォーム２１０に動作可能に結合されるが、押し付けセンサ２２０は、厚さゲージ１００の任意の位置に配置されてもよい。一実施形態において、押し付けセンサ２２０は、プランジャアセンブリ１６０に、プランジャ１７０に、または可動プラットフォーム２１０の下に配置されてもよい。別の実施形態において、押し付けセンサ２２０は、ばねシステム、圧力センサ、または力センサを含んでもよい。圧力センサは、物体１４０またはプランジャ１７０のいずれかに印加された圧力を検知するように構成される。一方、力センサは、プランジャ１７０に印加された力を検知するように構成される。一実施形態において、ばねシステムは、可動プラットフォーム２１０に機械的に結合される。特定の実施形態において、可動プラットフォーム２１０は、中空の円柱形状部を含んでもよく、ばねシステムは、可動プラットフォーム２１０内に配置されてもよい。別の実施形態において、可動プラットフォーム２１０は、中実の円柱形状部を含んでもよく、ばねシステムは、可動プラットフォーム２１０の下に配置されてもよい。
【００１５】
押し付け制御システム２００は、押し付けセンサ２２０に動作可能に接続されたスイッチング装置２３０をさらに含む。押し付けセンサ２２０がばねシステムを含む一実施形態において、スイッチング装置２３０は、所定の間隔２６０を置いてトグルキー２５０の下に配置されてもよい。別の実施形態において、押し付け制御システム２００は、スイッチング装置２３０の近傍に配置された付加的なスイッチング装置２７０をさらに含んでもよい。付加的なスイッチング装置２７０は、厚さゲージ１００を作動させるために使用される。厚さゲージ１００を作動させるために、プランジャ１７０は、プランジャ１７０が可動プラットフォーム２１０に力を印加するように押し下げられる。力の印加時に、可動プラットフォームは、可動プラットフォーム２１０に取り付けられた付加的なトグルキー２８０も移動させる方向に移動する。付加的なトグルキーもまた、所定の間隔２６０を置いて付加的なスイッチング装置２７０の上方に配置されている。付加的なトグルキー２８０のこのような移動は、付加的なトグルキー２８０が付加的なスイッチング装置２７０に物理的に接触することを可能にする。付加的なスイッチング装置２７０と付加的なトグルキー２８０との物理的接触は、測定を実行するために厚さゲージ１００を作動させるトグルイベントとして知られている。
【００１６】
厚さゲージを用いて物体１４０の厚さを測定するために、物体１４０は、使用者または自動機構（図示せず）によってキャビティー１１０の下面１３０にある可動プラットフォーム２１０上に配置される。可動プラットフォーム２１０上に物体１４０を配置したら、一例において、使用者または任意の他の人は、物体１４０に対してプランジャ１７０を押し付ける。プランジャ１７０のこのような押し付けは、プランジャ１７０が、物体１４０に接触し（触れ）、さらに、下方向２４０に向けて物体１４０および可動プラットフォーム２１０を押し付けることを可能にする。
【００１７】
実施形態において、上で指摘したように、可動プラットフォーム２１０は、中空の円柱形状部を含み、押し付けセンサ２２０は、ばねシステム（同様に２２０として参照される）を含み、ばねシステム２２０は、可動プラットフォーム２１０内に配置されてもよい。したがって、可動プラットフォーム２１０を下方向２４０に移動させ続けると、ばねシステム２２０に、力が印加され、これにより、さらにばねシステム２２０が圧縮される。ばねシステム２２０は、所定の圧縮に耐えるように構成されているが、その後では、ばねシステム２２０は、可動プラットフォーム２１０の下方向への移動を阻止する。したがって、スイッチング装置２３０とトグルキー２５０との間の間隔２６０は、トグルキー２５０が、ばねシステム２２０の所定の圧縮に達したときにスイッチング装置２３０を切り替えることができるように厚さゲージ１００の設計中に設けられる。ばねシステム２２０、およびトグルキー２５０を有する可動プラットフォーム２１０は、ばねシステム２２０の所定の圧縮に達したときにトグルキー２５０が、スイッチング装置２３０に物理的に接触し（触れ）、これにより、スイッチング装置２３０のトグルイベントを実行するように厚さゲージ１００に組み込まれる。本明細書で使用される場合、トグルイベントは、制御信号が、トグルキー２５０がスイッチング装置に触れた瞬間に測定システム２９０を用いてプランジャ１７０の位置の変化（移動）の測定値を求めるためにスイッチング装置２３０によって生成されることとして規定され得る。したがって、  ばねシステム２２０の所定の圧縮に達したとき、トグルキー２５０は、トグルイベントを実行し、スイッチング装置２３０は、物体１４０の厚さの測定を行うために測定システム２９０に信号を送信することが理解されるべきである。理解を簡単にするために、厚さゲージ１００の使用については、ばねシステムを含む実施形態に関して述べられているが、他の実施形態もまた、同じ結果を得るために同様の方法で動作され得る。
【００１８】
厚さゲージ１００は、スイッチング装置２３０に動作可能に接続された測定システム２９０をさらに含む。一例において、測定システムは、スイッチング装置２３０のトグルイベントを示す信号３１０を受信し、これに基づいて、測定システム２９０は、厚さゲージ１００におけるプランジャ１７０の勾配移動（ｇｒａｄｉｅｎｔ  ｍｏｖｅｍｅｎｔ）を測定する。本明細書で使用される場合、用語「勾配移動」は、ある地点から別の地点に通過した際に観察される特性（距離は、本明細書では特性である）の大きさの増加または減少として規定され得る。一実施形態において、測定システム２９０は、プランジャ１７０に取り付けられ得る磁気ストリップを含んでもよい。磁気ストリップは、一例において、磁気センサを用いて読み取られ得る所定の勾配を含む。また、測定システム２９０は、プランジャ１７０が移動した距離２９５を測定するために磁気ストリップの移動を測定し得る磁気センサを含む。他の実施形態において、測定システム２９０はまた、プランジャ１７０によって移動される距離２９５を測定するために厚さゲージに使用されるように適切に修正され得る様々な種類の知られている測定システムを含んでもよい。
【００１９】
厚さゲージ１００は、スイッチング装置２３０および測定システム２９０に動作可能に接続された処理回路３００をさらに含む。スイッチング装置２３０は、トグルキー２５０によって実行されるトグルイベントの実行時に、物体１４０の厚さの測定値を計算するために処理回路３００にも信号３１０を伝送する。処理回路３００は、信号３１０を受信し、測定システム２９０によって測定された距離２９５を得ることによってキャビティー１１０に配置された物体１４０の厚さを計算する。処理回路３００は、プランジャ１７０のデフォルト位置、プランジャ１７０のデフォルト位置と可動プラットフォーム２１０のデフォルト位置との間の距離、およびトグルキー２５０とスイッチング装置２３０との間の距離に関係するプリインストールされたデータならびに物体１４０の厚さを計算するために使用され得る任意の他のデータを含んでもよい。処理回路３００は、物体１４０の厚さを計算するために、測定された距離２９５およびプリインストールされたデータを使用する。物体１４０の厚さを計算したら、処理回路３００に動作可能に接続された通信回路３２０は、無線媒体３４０を介して物体１４０の測定された厚さを遠隔データベース３３０に伝送する。一実施形態において、無線媒体３４０は、Ｂｌｕｅｔｏｏｔｈ(登録商標）ネットワーク、Ｗｉ−Ｆｉネットワーク、またはＷｉＭＡＸネットワークを含んでもよい。別の実施形態において、厚さゲージ１００は、表示ユニット３５０をさらに含んでもよく、表示ユニット３５０は、遠隔データベース３３０と同時に通信回路３２０から厚さの測定値を受信してもよい。例示的な実施形態において、通信回路３２０は、処理回路３００とは別に配置されてもよいし、あるいは処理回路３００内に組み込まれてもよい。
【００２０】
図２は、一実施形態に従って物体の厚さを測定するための方法４００に関わるステップを示すフローチャートである。方法４００は、ステップ４１０において、厚さ測定機器の可動プラットフォーム上に物体を配置することを含む。また、方法４００は、ステップ４２０において、可動プラットフォーム上に配置された物体にプランジャを押し付けることを含む。方法４００は、ステップ４３０において、押し付けセンサによって所定の押し付けを検知したときにトグルキーを用いてスイッチング装置を切り替えることをさらに含む。また、方法４００は、ステップ４４０において、スイッチング装置を切り替えたときに測定装置を用いてプランジャの移動の距離を測定することを含む。また、方法４００は、ステップ４５０において、スイッチング装置を切り替えたときに測定された距離を用いることによって物体の厚さの測定値を得ることを含む。方法４００は、ステップ４６０において、無線媒体を介して厚さの測定値を遠隔データベースに自動的に伝送することをさらに含む。一実施形態において、無線媒体を介して厚さの測定値を遠隔データベースに自動的に伝送することは、Ｂｌｕｅｔｏｏｔｈ(登録商標）ネットワーク、Ｗｉ−Ｆｉネットワーク、またはＷｉＭＡＸネットワークを介して厚さの測定値を遠隔データベースに自動的に伝送することを含んでもよい。
【００２１】
非限定的な一例は、タービンエンジンの隙間（タービン翼とシュラウドとの間の隙間など）を測定する技術者を支援するために使用される厚さゲージ１００の使用である。この例において、技術者は、すきまゲージを使用し、多数の、すきまゲージのリーフを隙間に挿入する。すきまゲージを引き抜いたら、技術者は、隙間から引き抜いた、すきまゲージのリーフを厚さゲージ１００の可動プラットフォーム２１０上に配置し、隙間の厚さを自動的に測定して、測定値を通信するためにプランジャ１７０を係合させる。このようにして、より一貫性のある測定が達成される。加えて、自動化された報告は、システムが、隙間測定がさらなる調査を必要とする異常または公差の範囲外を表すか否かを技術者に即座に示すことを可能にする。測定値と履歴データとを比較することによって、システムは、傾向分析および残りの有効耐用年数の予測および保守を可能にする。
【００２２】
当業者ならば、異なる実施形態の様々な特徴の互換性を認めるであろうこと、および、説明されている様々な特徴および各特徴に関して知られている他の同等物が、本開示の原理に従ってさらなるシステムおよび技術を構成するために当業者によって混合され、適合されてもよいことが理解されるべきである。したがって、添付の特許請求の範囲は、本発明の真の精神に含まれるあらゆる修正例および変更例を包含することを意図したものであることが理解されるべきである。
【００２３】
上で説明された、物体の厚さを測定するための機器の例示的な実施形態は、より良い、ゲージの繰り返し精度および再現精度を実現する。押し付け制御システムは、同じ大きさの力による、物体の厚さの測定を可能にし、これにより、一貫性のある繰り返し精度および再現精度を実現する。また、例示的な機器は、単一ステップで厚さの測定およびその転記（ｔｒａｎｓｃｒｉｐｔｉｏｎ）を可能にし、転記の間違いおよび時間の無駄を低減する。無線媒体を介する遠隔データベースへの測定値の伝送は、１ステップでの厚さの測定および転記を達成することに役立つ。
【００２４】
本発明の特定の特徴のみが、本明細書では示され、説明されているが、多くの修正例および変更例が、当業者によって想到され得る。したがって、添付の特許請求の範囲は、本発明の真の精神に含まれるあらゆる修正例および変更例を包含することを意図したものであることが理解されるべきである。
【符号の説明】
【００２５】
１００  厚さゲージ
１１０  キャビティー
１２０  上面
１３０  下面
１４０  物体
１５０  ゲージハウジング
１６０  プランジャアセンブリ
１７０  プランジャ
１８０  プランジャキャビティー
１９０  （プランジャの移動）方向
２００  押し付け制御システム
２１０  可動プラットフォーム
２２０  押し付けセンサ、ばねシステム
２３０  スイッチング装置
２４０  下方向
２５０  トグルキー
２６０  所定の間隔
２７０  付加的なスイッチング装置
２８０  付加的なトグルキー
２９０  測定システム
２９５  距離
３００  処理回路
３１０  信号
３２０  通信回路
３３０  遠隔データベース
３４０  無線媒体
３５０  表示ユニット
４１０  ステップ
４２０  ステップ
４３０  ステップ
４４０  ステップ
４５０  ステップ
４６０  ステップ
【図１】
0006664945.tif 000002
【図２】
0006664945.tif 000003